(57)【特許請求の範囲】
【請求項１】
一側にボタン結合孔（１１０）が貫通して形成される流線形の下部ケース（１００）と；
前記下部ケース（１００）の内部に設置され、内部に化粧品が貯蔵され、下部にはピストン（２１１）が設置されるハウジング（２１０）と、前記ハウジング（２１０）の上部に嵌められて中心部に挿入孔（２２１）が貫通して形成される固定具（２２０）と、中心部が垂直に貫通して形成され、下部は前記挿入孔（２２１）に挿入され、上部は前記挿入孔（２２１）の直径以上に形成されるピストンロッド（２３０）と、前記固定具（２２０）と前記ピストンロッド（２３０）の上部の間に設置される復元スプリング（２４０）と、前記挿入孔（２２１）の直径以上に形成され、前記ピストンロッド（２３０）の下部に嵌められ、下部には化粧品の圧力によって開放または閉鎖される逆止弁（２５１）が設置されるディスペンサー（２５０）とを含む化粧品保管容器（２００）と；
前記固定具（２２０）の下端に設置され、一側は前記ボタン結合孔に嵌められるボタン（３００）と；
前記下部ケース（１００）の上部に設置されて開閉可能であり、前記ピストンロッド（２３０）の上部と連結されて化粧品が排出される化粧品吐出口（４１０）が貫通して形成される上部ケース（４００）と；
前記上部ケース（４００）の上部に設置されて、電位差によって化粧品を皮膚に浸透させ、前記下部ケース（１００）の他側には電源スイッチが設置されるイオン導入部（５００）と；を含むことを特徴とするイオン導入器が備えられた化粧品容器。
【請求項２】
前記下部ケース（１００）は、
他側面に設置され、表面には突起が突出して形成される滑り止め部（１２０）をさらに含むことを特徴とする請求項１に記載のイオン導入器が備えられた化粧品容器。
【請求項３】
前記イオン導入部（５００）は、
前記下部ケース（１００）の内部に設置されて、前記イオン導入部（５００）に電源を供給する電源供給バッテリー（５２０）と；
前記下部ケース（１００）の内部に設置されて、外部から電源が印加されて前記電源供給バッテリー（５２０）を充電させる無線充電器（５３０）と；をさらに含むことを特徴とする請求項１に記載のイオン導入器が備えられた化粧品容器。
【請求項４】
イオン導入部（５００）は、
前記下部ケース（１００）の一側に設置されて、前記イオン導入部（５００）の充電状態を表示するＬＥＤ表示部（５４０）をさらに含むことを特徴とする請求項１に記載のイオン導入器が備えられた化粧品容器。
【発明の詳細な説明】
【技術分野】
【０００１】
本発明はイオン導入器が備えられた化粧品容器に関し、化粧品ケースとイオン導入器を単一の製品に形成することによって、化粧品を皮膚に直接塗布するとともに、イオンの導入も可能なイオン導入器が備えられた化粧品容器に関する。
また、下部ケースを流線形に形成することによって、把持が容易なイオン導入器が備えられた化粧品容器に関する。
【背景技術】
【０００２】
人の皮膚、特に顔面の皮膚を管理するために、使用者は化粧品または皮膚補助製品などを塗布した後、化粧品または皮膚補助製品などを皮膚深く浸透させるためにイオン導入器を使用している。前記イオン導入器は微細な電流を放射することによって、電荷の電気反撥力によって化粧品または皮膚補助製品などを皮膚深く浸透させ、前記のような優れた効能で広く使用されている。
しかし、従来のイオン導入器では、化粧品が噴出されず、従来イオン導入器の使用者は化粧品または皮膚補助製品などを手で皮膚に直接塗布した後、化粧品と別途にイオン導入器を使用しなければならなかった。従って、イオン導入器の使用の時には、手に付いた化粧品を落とさなければならないなど不便で、皮膚美容時間が増加するという問題点があった。
また、従来のイオン導入器は、手で把持する部分が使用上の便宜を考慮しないで、単純に円筒状に製造されていて、把持が不便な問題点があった。
【発明の概要】
【発明が解決しようとする課題】
【０００３】
本発明は上述した問題点を解決するために創出されたもので、化粧品ケースとイオン導入器を単一の製品に形成することによって、化粧品を皮膚に直接塗布するとともに、イオンの導入も可能なイオン導入器が備えられた化粧品容器を提供することを目的とする。
また、下部ケースを流線形に形成することによって、把持が容易なイオン導入器が備えられた化粧品容器を提供することを目的とする。
【課題を解決するための手段】
【０００４】
上記のような問題点を解決するために、本発明によるイオン導入器が備えられた化粧品容器は、一側にボタン結合孔が貫通して形成される流線形の下部ケースと、前記下部ケースの内部に設置され、内部に化粧品が貯蔵され、下部にはピストンが設置されるハウジングと；前記ハウジングの上部に嵌められ、中心部に挿入孔が貫通して形成される固定具と、中心部が垂直に貫通して形成され、下部は前記挿入孔に挿入され、上部は前記挿入孔の直径以上に形成されるピストンロッドと、前記固定具と前記ピストンロッドの上部との間に設置される復元スプリングと、前記挿入孔の直径以上に形成されて、前記ピストンロッドの下部に嵌められ、下部には化粧品の圧力によって開放または閉鎖される逆止弁が設置されるディスペンサーとを含む化粧品保管容器と；前記固定具の下端に設置され、一側は前記ボタン結合孔に嵌められるボタンと、前記下部ケースの上部に設置されて開閉可能であり、前記ピストンロッドの上部に連結されて、化粧品が排出される化粧品吐出口が貫通して形成される上部ケースと；前記上部ケースの上部に設置されて、電位差によって化粧品を皮膚に浸透させ、前記下部ケースの一側には電源スイッチが設置されるイオン導入部と；を含むことを特徴とする。
また、前記下部ケースは、一側面に設置されて表面に突起が突出して形成される粗い材質の滑り止め部をさらに含むことを特徴とする。
また、前記イオン導入部は、前記下部ケースの内部に設置されて、前記イオン導入部に電源を供給する電源供給バッテリーと、前記下部ケースの内部に設置されて、外部から電源が印加されて、前記電源供給バッテリーを充電させる無線充電器とをさらに含むことを特徴とするイオン導入器が備えられた化粧品容器が備えられた化粧品容器である。
また、イオン導入部は、前記下部ケースの一側に設置されて、前記イオン導入部の充電状態を表示するＬＥＤ表示部をさらに含むことを特徴とする。
【発明の効果】
【０００５】
上述したように、本発明によれば、化粧品ケースとイオン導入器を単一の製品に形成することによって、化粧品を皮膚に直接塗布するとともにイオンの導入も可能であるという長所がある。
また、下部ケースを流線形に形成することによって把持が容易であるという長所がある。
【図面の簡単な説明】
【０００６】
【図１】本発明の好ましい実施形態によるイオン導入器が備えられた化粧品容器の斜視図である。
【図２】本発明の好ましい実施形態によるイオン導入器が備えられた化粧品容器の正面図である。
【図３】本発明の好ましい実施形態によるイオン導入器が備えられた化粧品容器の側断面図である。
【図４】本発明の好ましい実施形態によるイオン導入器が備えられた化粧品容器の状態図である。
【図５】本発明の好ましい実施形態によるイオン導入器が備えられた化粧品容器の状態図である。
【発明を実施するための形態】
【０００７】
以下、添付図面を参照して本発明の好ましい実施形態を詳しく説明する。各図面に示された符号は同じ部材を示す。
図１は本発明の好ましい実施形態によるイオン導入器が備えられた化粧品容器の斜視図が示されており、図２は本発明の好ましい実施形態によるイオン導入器が備えられた化粧品容器の正面図が示されており、図３は本発明の好ましい実施形態によるイオン導入器が備えられた化粧品容器の断面図が示されている。
図１〜図３によれば、本発明の好ましい実施形態によるイオン導入器が備えられた化粧品容器は、下部ケース１００、化粧品容器２００、ボタン３００、上部ケース４００、イオン導入部５００が含まれ、滑り止め部１２０、電源供給バッテリー５２０、無線充電器５３０、ＬＥＤ表示部５４０がさらに含まれる。
下部ケース１００は内部に化粧品が保管され、使用者が容易に把持するように流線形に形成される。前記下部ケース１００の一側にはボタン結合孔１１０が貫通して形成され、前記ボタン結合孔１１０には後述するボタン３００が結合されるので、使用者は前記下部ケース１００を把持した状態で、母指でボタン３００を上部に押圧して化粧品を使用することができる。この時、前記ボタン結合孔１１０は前記下部ケース１００の一側に垂直方向に所定高さに貫通して形成されて、ボタン３００が垂直運動をできるようにする。
一方、前記下部ケース１００の一側面には突起が突出して形成された滑り止め部１２０が設置され、使用者が前記下部ケース１００を把持した時、使用者の手から前記下部ケース１００が離脱されないように補助する役割を果たす。前記滑り止め部１２０は、使用者が前記下部ケース１００を把持した時、母指を除いたそれぞれの指部位に位置するように前記ボタン結合孔１１０の他側面に設置され、表面が粗い材質で形成されて、摩擦力を増加させることが好ましい。
化粧品保管容器２００は、前記下部ケース１００の内部に設置されて、内部に化粧品が保管され、後述するボタン３００が上部に押圧されると、化粧品が吐出される。前記化粧品保管容器２００は、前記下部ケース１００から解体及び結合できるので、化粧品を使い切った場合、いくらでも交替して詰め替えることができることが特徴である。前記化粧品保管容器２００はハウジング２１０、固定具２２０、ピストンロッド２３０、復元スプリング２４０、ディスペンサー２５０が含まれる。
前記ハウジング２１０は、内部に化粧品が保管される容器である。前記化粧品保管容器２００は内部に各種化粧品（アイクリーム、コンシーラー、リップグロスなど）が収容される。前記化粧品保管容器２００は、主にプラスチック系の合成樹脂材で製造され、下部にはピストン２１１が設置される。前記ピストン２１１は使用者が化粧品を使用するに従って使用された化粧品の量だけ圧縮されるので、前記ハウジング２１０の上部に上昇する。従って、使用者は化粧品を使い切るまで化粧品は常に前記ハウジング２１０の上部に位置する。また、前記ピストン２１１は軟質の材質で形成され、前記ハウジング２１０の内部で化粧品が貯蔵される部分を外部空気と遮断することによって、化粧品が貯蔵される部分を常に真空状態に保持させることが好ましい。
前記固定具２２０は前記ハウジング２１０の上部に嵌められ、中心部には挿入孔２２１が垂直に貫通して形成されている。前記固定具２２０は、前記ハウジング２１０の内部に貯蔵された化粧品を密閉し、前記挿入孔２２１には後述するピストンロッド２３０が嵌められる。
前記ピストンロッド２３０は前記挿入孔２２１に挿入され、前記ピストンロッド２３０の中心部の直径は前記ハウジング２１０の内部に貯蔵された化粧品が排出されないように、前記挿入孔２２１の直径と同じである。前記ピストンロッド２３０上部の直径は前記挿入孔２２１の直径以上に形成され、前記ピストンロッド２３０が前記挿入孔２２１を貫通して前記ハウジング２１０の内部に離脱されることを防止する。
前記復元スプリング２４０は、前記固定具２２０と前記ピストンロッド２３０との間に設置される。前記復元スプリング２４０は前記固定具２２０が後述するボタン２３０によって上部に押圧された後に、前記固定具２２０をスプリングのバネ復元力によって復元させる。
ディスペンサー２５０は前記挿入孔２２１の直径以上に形成されて、前記ピストンロッド２３０の下部に嵌められる。従って、前記ディスペンサー２５０は前記ピストンロッド２３０が前記挿入孔２２１の上部に離脱されることを防止する。また、前記ディスペンサー２５０の下部には逆止弁２５１が設置されて、前記逆止弁２５１に圧力が加えられると、化粧品が前記ディスペンサー２５０の内部に流入される。前記のように流入された化粧品は前記ピストンロッド２３０の中心部を経って後述する化粧品吐出口４１０を通じて使用者の外部に吐出される。
ボタン３００は前記固定具２２０の下端に設置され、一側は前記ボタン結合孔１１０に設置される。前記ボタン３００は前記ハウジング２１０の外周面を囲んで、前記固定具２２０の下端に設置されて、使用者が前記ボタン３００を上部に押圧することによって、前記ハウジング２１０と前記固定具２２０を同時に上昇させる。図４によれば、前記ピストンロッド２３０の上部は後述する上部ケース４００によって固定されているので、前記ディスペンサー２５０の内部空間が圧着され、これによって化粧品が吐出されるのである。また、図５によれば、前記ボタン３００とハウジング２１０及び前記固定具２２０は、前記復元スプリング２４０の弾性復元力によって再び下部に移動される。この時、前記ディスペンサー２５０の内部空間は体積が増えるので、前記逆止弁２５１が化粧品の圧力によって開放され、前記ディスペンサー２５０の内部空間が化粧品で再び満たされる。
上部ケース４００は前記下部ケース１００の上部に設置され、化粧品吐出口４１０から化粧品が吐出される。前記化粧品吐出口４１０は前記ピストンロッド２３０の上部に貫通して形成され、前記ピストンロッド２３０の上部から吐出される化粧品を引き続き外部に排出させる。
また、前記上部ケース４００は前記下部ケース１００の上部に設置されて開閉可能である。使用者が前記化粧品保管容器２００に貯蔵された化粧品を使い切った時に、使用者は前記上部ケース４００を開放して前記化粧品保管容器２００を簡便に取り替えることができることが特徴である。
イオン導入部５００は、前記上部ケース４００の上部に設置されて、微細な電流を外部に放射することによってイオン導入器の機能を果たす。前記イオン導入部５００は前記下部ケース１００の一側に設置された電源スイッチ５１０から電源が印加されて作動される。前記イオン導入部５００は微細な電流が放射されるので、化粧品のような皮膚補助製品の電荷から電気的な反撥力が発生されて使用者の皮膚に皮膚補助製品が深く浸透されるようにする。前記イオン導入部５００は使用者が前記ボタン３００を上部に押圧して前記化粧品吐出口４１０から排出される化粧品を皮膚に塗布した後、直ちに使用可能であるので、使用が簡便であるとともに、使用者の皮膚に化粧品が浸透される効果を極大化させることが本発明の最大の特徴と言える。
一方、前記イオン導入部５００は前記下部ケース１００の一側に電源供給バッテリー５２０と無線充電器５３０が設置されて、外部電源を無線で充電させて前記イオン導入部５００に電源を供給することもできる。一般に、イオン導入部５００からイオンを導入する時には、外部電源アダプダ（図示省略）を前記イオン導入部５００の一側に連結して使用する。従って、前記下部ケース１００の内部に前記電源供給バッテリー５２０と前記無線充電器５３０を設置することによって、使用者は外部電源アダプダ（図示省略）が必要なく、無線で簡便にイオン導入部５００を使用することができる。前記無線充電器５３０は、外部から電源が供給されて、前記電源供給バッテリー５２０に外部電源を充電させるので、使用者は前記イオン導入部５００をどこでも便利に使用することができることが特徴と言える。
また、前記下部ケース１００の一側にはＬＥＤ表示部５４０が設置されて、前記イオン導入部５００の充電状態を表示することもできる。前記ＬＥＤ表示部５４０は、前記電源供給バッテリー５２０の一側に連結されて電源が供給される。前記ＬＥＤ表示部５４０は前記電源供給バッテリー５２０が充電された容量によってＬＥＤの色を変えて使用者が充電すべき時期を識別できるようにすることが好ましい。
図面と明細書に最適な実施形態が開示された。ここで、特定の用語が使用されたが、これは単に本発明を説明するための目的で使用されたものであって、意味の限定や特許請求の範囲に記載された本発明の範囲を制限するために使用されたものではない。従って、本技術分野において通常の知識を有する者であれば、これから多様な変形及び同等の他の実施形態が可能であるという点を理解すべきである。従って、本発明の真の技術的保護範囲は添付された特許請求の範囲の技術思想によって決定されるべきである。
【図１】
0005495139.tif 000002
【図２】
0005495139.tif 000003
【図３】
0005495139.tif 000004
【図４】
0005495139.tif 000005
【図５】
0005495139.tif 000006